(57)【要約】【課題】  通信に参加する少なくとも第１の近距離無線通信機器及び第２の近距離無線通信機器（２１、２２）の近距離無線通信システムを動作させる近距離無線通信システムの動作方法を提供する。【解決手段】  通信に参加する各近距離無線通信機器（２１、２２）について、通信に参加する各近距離無線通信機器（２１、２２）と、他の通信に参加する近距離無線通信機器（２２、２１）との間で通信が確立されるまで、又は割込み条件が満たされるまで、通信に参加する近距離無線通信機器の動作状態又はモードを、ターゲット動作状態（ＳＴ）又はモード（ＳＭ）と、イニシエータ動作状態（ＩＳ）又はモード（ＩＭ）との間で繰り返し変更することによって、アイドル処理（ＩＤ）を実行する。【選択図】  図１
2006129498.tif 000002
【特許請求の範囲】
【請求項１】
通信に参加する少なくとも第１の近距離無線通信機器及び第２の近距離無線通信機器（２１、２２）の近距離無線通信システムを動作させる近距離無線通信システムの動作方法において、
上記通信に参加する各近距離無線通信機器（２１、２２）について、上記通信に参加する各近距離無線通信機器（２１、２２）と、他の通信に参加する近距離無線通信機器（２２、２１）との間で通信が確立されるまで、又は割込み条件が満たされるまで、通信に参加する近距離無線通信機器の動作状態又はモードを、ターゲット動作状態（ＳＴ）又はモード（ＳＭ）と、イニシエータ動作状態（ＩＳ）又はモード（ＩＭ）との間で繰り返し変更することによって、アイドル処理（ＩＤ）を実行するステップを有する近距離無線通信システムの動作方法。
【請求項２】
上記通信に参加する近距離無線通信機器（２１、２２）のそれぞれについて、上記通信に参加する各近距離無線通信機器（２１、２２）と、該通信に参加する近距離無線通信機器（２２、２１）の他の１つとの間で接続及び通信を確立及びセットアップするための初期化セクション（ＩＮ）を含み、
上記アイドル処理（ＩＤ）は、各通信に参加する各近距離無線通信機器（２１、２２）について、上記各初期化セクション（ＩＮ）の一部であることを特徴とする請求項１記載の近距離無線通信システムの動作方法。
【請求項３】
上記通信に参加する近距離無線通信機器（２１、２２）のそれぞれについて、上記アイドル処理（ＩＤ）において、該通信に参加する各近距離無線通信機器（２１、２２）を、ターゲット動作状態又はモードで、及びイニシエータ動作状態又はモードでそれぞれ動作させる期間（ｔｔａｒｇｅｔ、ｔｉｎｉｔｉａｔｏｒ）は、所定であるか、動作中に決定されることを特徴とする請求項１又は２記載の近距離無線通信システムの動作方法。
【請求項４】
上記アイドル処理（ＩＤ）において、上記通信に参加する各近距離無線通信機器（２１、２２）をターゲット動作状態又はモードで、及びイニシエータ動作状態又はモードでそれぞれ動作させる上記期間（ｔｔａｒｇｅｔ、ｔｉｎｉｔｉａｔｏｒ）は、異なる通信に参加する近距離無線通信機器（２１、２２）毎に異なることを特徴とする請求項３記載の近距離無線通信システムの動作方法。
【請求項５】
上記アイドル処理（ＩＤ）において、上記通信に参加する各近距離無線通信機器（２１、２２）をターゲット動作状態又はモードで、及びイニシエータ動作状態又はモードでそれぞれ動作させる上記期間（ｔｔａｒｇｅｔ、ｔｉｎｉｔｉａｔｏｒ）は、所定の通信に参加する近距離無線通信機器（２１、２２）について異なることを特徴とする請求項３又は４記載の近距離無線通信システムの動作方法。
【請求項６】
上記通信に参加する近距離無線通信機器（２１、２２）をイニシエータ動作状態又はモードで動作させるための期間（ｔｉｎｉｔｉａｔｏｒ）は、上記通信に参加する各近距離無線通信機器（２１、２２）をターゲット動作状態又はモードで動作させるための期間（ｔｔａｒｇｅｔ）より短く、消費電力を低減することを特徴とする請求項３乃至５いずれか１項記載の近距離無線通信システムの動作方法。
【請求項７】
上記通信に参加する近距離無線通信機器（２１、２２）をイニシエータ動作状態又はモードで動作させるための期間（ｔｉｎｉｔｉａｔｏｒ）は、固定成分（ｔｉｎｉｔｉａｔｏｒ，ｆｉｘ）及びランダム成分（ｔｉｎｉｔｉａｔｏｒ，ｒａｎｄｏｍ）によってランダム化された値であることを特徴とする請求項３乃至６いずれか１項記載の近距離無線通信システムの動作方法。
【請求項８】
上記通信に参加する各近距離無線通信機器（２１、２２）をターゲット動作状態又はモードで動作させるための期間（ｔｔａｒｇｅｔ）は、固定成分（ｔｔａｒｇｅｔ，ｆｉｘ）及びランダム成分（ｔｔａｒｇｅｔ，ｒａｎｄｏｍ）によってランダム化された値であることを特徴とする請求項３乃至７いずれか１項記載の近距離無線通信システムの動作方法。
【請求項９】
上記通信に参加する各近距離無線通信機器（２１、２２）について、上記各アイドル処理（ＩＤ）は、該通信に参加する各近距離無線通信機器（２１、２２）を上記イニシエータ動作状態又はモードで動作させることによって開始されることを特徴とする請求項１乃至８いずれか１項記載の近距離無線通信システムの動作方法。
【請求項１０】
上記通信に参加する各近距離無線通信機器（２１、２２）について、上記各アイドル処理（ＩＤ）は、該通信に参加する各近距離無線通信機器（２１、２２）を上記ターゲット動作状態又はモードで動作させることによって開始されることを特徴とする請求項１乃至９いずれか１項記載の近距離無線通信システムの動作方法。
【請求項１１】
上記通信に参加する近距離無線通信機器（２１、２２）のそれぞれについて、該通信に参加する各近距離無線通信機器（２１、２２）のための上記アイドル処理（ＩＤ）は、イニシエータ動作状態又はモード及びターゲット動作状態又はモードからなるグループからランダムに選択された動作状態又はモードで開始されることを特徴とする請求項１乃至１０いずれか１項記載の近距離無線通信システムの動作方法。
【請求項１２】
請求項１乃至１１いずれか１項記載の近距離無線通信システムの動作方法及びそのステップを実行し又は該動作方法に参加するように適応化及び／又は構成された手段を備える通信システム又は通信装置（１０）。
【請求項１３】
請求項１乃至１１いずれか１項記載の近距離無線通信システムの動作方法及びそのステップを実行し又は該動作方法に参加するように適応化及び／又は構成された手段を備え及び／又は請求項１２記載の通信システムに参加するように適応化及び／又は構成された手段を備える近距離無線通信機器（２１、２２）。
【請求項１４】
請求項１乃至１１いずれか１項記載の近距離無線通信システムの動作方法及びそのステップを実行又は実現するように適応化及び／又は構成されたコンピュータプログラムを含むコンピュータプログラム製品。
【請求項１５】
請求項１４記載のコンピュータプログラム製品を格納するコンピュータにより読取可能な媒体。
【発明の詳細な説明】
【技術分野】
【０００１】
本発明は、近距離無線通信（near field communication：ＮＦＣ）システムの動作方法に関する。詳しくは、本発明は、ＮＦＣの初期の開始段階中に、最適なＮＦＣ機器の種類が選択される確率を高め、消費電力を低減する方法に関する。
【背景技術】
【０００２】
近年、近距離無線通信が益々重要になっている。近距離無線通信システム、すなわちＮＦＣシステムでは、例えば、多くの場合、所謂インテリジェントカードリーダであるインテリジェント機器と、情報を保持し、記憶装置からインテリジェント機器又はカードリーダに情報を提供することができるカードとの間のインタラクションに基づく通信が行われる。例えば、カードリーダとカードとの間のインタラクションは、例えば、所謂非接触チップカード（contactless chip card）を用いて、無線接続（radiation connection）で実現される。インテリジェント機器とは、より高いサービスを実現するためのある程度の処理能力及び／又は演算能力を有する機器を意味する。
【０００３】
近距離無線通信の基本的な特徴は、無線周波数領域の電磁波を用いること、及び、例えば数センチメートルの範囲のみ等、非常に短い距離のみで情報コンテンツを転送することである。
【０００４】
無線周波数領域の電磁波を交換することによって短距離で情報交換を行うこの原理は、２つのインテリジェント機器間での短距離通信を確立するために用いることもできる。ここで、簡単且つ信頼できる手法で、ユーザインタラクションの負担なしで各通信を確立する手法は、一般的に知られていない。ユーザガイダンスなしで通信接続を確立することを難しくする特別な問題として、通信に参加する近距離無線通信機器がそれぞれ同じ動作状態にある確率が十分に高く、このために通信を確立することができないといった問題がある。
【発明の開示】
【発明が解決しようとする課題】
【０００５】
そこで、本発明の目的は、特定の信頼できる簡単な手法で、ユーザインタラクションを必要とすることなく、通信を確立する近距離無線通信システムの動作方法を提供することである。
【課題を解決するための手段】
【０００６】
この目的は、独立請求項１に基づく近距離無線通信システムの動作方法によって解決される。本発明に基づく近距離無線通信システムの動作方法の好ましい実施形態は、従属請求項において定義されている。更に、この目的は、独立請求項１２に基づく通信システム又は装置、独立請求項１３に基づく近距離無線通信機器、独立請求項１４に基づくコンピュータプログラム製品、及び独立請求項１５に基づくコンピュータにより読取可能な媒体によって達成される。
【０００７】
本発明に係る近距離無線通信システムの動作方法では、例えば、通信に参加する少なくとも第１の近距離無線通信機器及び第２の近距離無線通信機器の近距離無線通信システムを動作させる。本発明に基づく近距離無線通信システムの動作方法は、通信に参加する各近距離無線通信機器について、通信に参加する各近距離無線通信機器と、他の通信に参加する近距離無線通信機器との間で通信が確立されるまで、又は割込み条件が満たされるまで、通信に参加する近距離無線通信機器の動作状態又はモードを、ターゲット動作状態又はモードと、イニシエータ動作状態又はモードとの間で繰り返し変更することによって、アイドル処理を実行するステップを有する。
【０００８】
すなわち、本発明の基礎となる基本的な発想は、通信に参加する近距離無線通信機器の動作状態又はモードを、イニシエータ動作状態又はモードと、ターゲット動作状態又はモードとの間で、繰り返し切り換えることである。この結果、少なくとも１つの通信に参加する近距離無線通信機器がターゲット動作モードであり、少なくとも他の１つの通信に参加する近距離無線通信機器がイニシエータ動作状態又はモードである確率が高くなる。この結果、両方の通信に参加する近距離無線通信機器が同じ動作モード又は状態にあるために、通信を確立することができないといった状況を回避できる。
【０００９】
本発明においては、ターゲット動作状態とは、確立された通信処理中に、通信に参加する近距離無線通信機器が、ターゲット又はターゲット機器として機能し、すなわち、他の通信に参加する近距離無線通信機器からＲＦ信号を受信する、通信に参加する近距離無線通信機器の動作状態である。また、本発明において、ターゲット動作モードとは、通信に参加する近距離無線通信機器が、少なくともターゲット又はターゲット機器のように動作し、すなわち、確立された通信処理を必要とすることなく、他の通信に参加する近距離無線通信機器からのＲＦ信号を少なくとも監視及び／又は検索する、通信に参加する近距離無線通信機器の動作モードである。
【００１０】
本発明において、イニシエータ動作状態とは、確立された通信処理中に、通信に参加する近距離無線通信機器が、イニシエータ又はイニシエータ機器として機能し、すなわち、他の接続通信に参加する近距離無線通信機器にＲＦ信号を送信する、通信に参加する近距離無線通信機器の動作状態である。また、本発明において、イニシエータ動作モードとは、通信に参加する近距離無線通信機器が、少なくともイニシエータ又はイニシエータ機器のように動作し、すなわち、必ずしも他の通信に参加する近距離無線通信機器又はその機器との接続が存在することを必要とすることなく、したがって、確立された通信処理を必要とすることなく、初期のＲＦポーリング信号を送信する、通信に参加する近距離無線通信機器の動作モードである。
【００１１】
これに加えて、又はこれに代えて、本発明に基づく近距離無線通信システムの動作方法の好ましい実施形態は、通信に参加する近距離無線通信機器のそれぞれについて、通信に参加する各近距離無線通信機器と、通信に参加する近距離無線通信機器の他の１つとの間で接続及び通信を確立及びセットアップするための初期化セクションを含み、アイドル処理は、各通信に参加する各近距離無線通信機器について、各初期化セクションの一部である。
【００１２】
これに加えて又はこれに代えて、本発明の更に好ましい実施形態においては、通信に参加する近距離無線通信機器のそれぞれについて、アイドル処理において、通信に参加する各近距離無線通信機器を、ターゲット動作状態又はモードで、及びイニシエータ動作状態又はモードでそれぞれ動作させる期間は、所定であるか、動作中に決定される。
【００１３】
これに加えて又はこれに代えて、アイドル処理において、通信に参加する各近距離無線通信機器をターゲット動作状態又はモードで、及びイニシエータ動作状態又はモードでそれぞれ動作させる期間は、異なる通信に参加する近距離無線通信機器毎に異なっていてもよい。
【００１４】
これに加えて又はこれに代えて、アイドル処理において、通信に参加する各近距離無線通信機器をターゲット動作状態又はモードで、及びイニシエータ動作状態又はモードでそれぞれ動作させる期間は、所定の通信に参加する近距離無線通信機器について異なっていてもよい。
【００１５】
好ましくは、通信に参加する近距離無線通信機器をイニシエータ動作状態又はモードで動作させる期間は、通信に参加する各近距離無線通信機器をターゲット動作状態又はモードで動作させる期間より短く、これにより、消費電力が低減される。
【００１６】
これに加えて又はこれに代えて、通信に参加する近距離無線通信機器をイニシエータ動作状態又はモードで動作させる期間は、特に、固定成分及びランダム成分によってランダム化された値であってもよい。
【００１７】
更に、これに加えて又はこれに代えて、通信に参加する各近距離無線通信機器をターゲット動作状態又はモードで動作させる期間は、特に固定成分及びランダム成分によってランダム化された値であってもよい。
【００１８】
これに加えて又はこれに代えて、本発明の更に好ましい実施形態においては、通信に参加する各近距離無線通信機器について、各アイドル処理は、通信に参加する各近距離無線通信機器をイニシエータ動作状態又はモードで動作させることによって開始してもよい。
【００１９】
或いは、本発明の好ましい実施形態においては、通信に参加する各近距離無線通信機器について、各アイドル処理は、通信に参加する各近距離無線通信機器をターゲット動作状態又はモードで動作させることによって開始してもよい。
【００２０】
これに加えて又はこれに代えて、本発明の好ましい実施形態においては、通信に参加する近距離無線通信機器のそれぞれについて、通信に参加する各近距離無線通信機器のためのアイドル処理は、イニシエータ動作状態又はモード及びターゲット動作状態又はモードからなるグループからランダムに選択された動作状態又はモードで開始してもよい。
【００２１】
また、本発明の側面として、本発明は、近距離無線通信システム又は装置自体を提供する。本発明に係る通信システム又は装置は、上述した近距離無線通信システムの動作方法及びそのステップを実行し又は該動作方法に参加するように構成され及び／又はこの動作方法を実現する能力を有する。したがって、本発明に基づく通信システム及び装置は、本発明に基づく近距離無線通信システムの動作方法を実現し、又は本発明に基づく近距離無線通信システムの動作方法に基づいて動作する各手段を備えていてもよい。
【００２２】
また、本発明は、上述した近距離無線通信システムの動作方法及びそのステップを実行し又は該動作方法に参加するように適応化及び／又は構成された手段を備え及び／又は上述した通信システムに参加するように適応化及び／又は構成された手段を備える近距離無線通信機器を提供する。したがって、この近距離無線通信機器は、ターゲット機器として又はイニシエータ機器としてセットアップされる。
【００２３】
また、本発明は、コンピュータ又はデジタルシグナルプロセッサによって実行されて、上述した近距離無線通信システムの動作方法及びそのステップを実行又は実現するように適応化及び／又は構成されたコンピュータプログラムを含むコンピュータプログラム製品を提供する。
【００２４】
更に、本発明は、上述したコンピュータプログラム製品を格納するコンピュータにより読取可能な媒体を提供する。
【００２５】
本発明のこれらの及び更なる側面について、以下に更に詳細に説明する。
【００２６】
本発明は、ＮＦＣの初期の開始段階中に、最適なＮＦＣ機器の種類が選択される確率を高め、消費電力を低減する方法を提供する。
【００２７】
序論
現在定義されている一般的なＮＦＣ機器の起動においては、全ての機器は、それぞれデフォルトでは、ＮＦＣターゲット機器であり、アプリケーションの要求に応じてのみ、機器は、ＮＦＣイニシエータ機器に切り替わることができる。ここで、このようなシステムでは実現が不可能なシナリオがある。
【００２８】
如何なるユーザインタラクションも必要とすることなく、２つのピア機器間で通信を行いたい場合、ＮＦＣ機器は、継続的にアクティブでなければならない。このような２つの機器が通信を行おうとしても、両方の機器がＲＦ電磁波を発し、すなわち、両方の機器がＮＦＣイニシエータになろうとするので、接続を確立することはできない。この結果、通信を行うことができない。
【００２９】
本発明によって開示される解決策では、短い間隔で、ＮＦＣ機器をオン及びオフに切り換えるメカニズムを実現する。
【００３０】
消費電力を低減するために、スイッチオンフェーズ及びスイッチオフフェーズのタイミングは、機器の種類の選択の確率に影響を及ぼすように用いられ、多くの場合、商用電源駆動機器（mains-powered device）がＲＦ電磁波の放出を担うようにする。
【００３１】
ＲＦＩＤ、フェリカ（FeliCa：ソニー株式会社の登録商標）及びＭｉｆａｒｅ（ロイヤルフィリップスエレクトロニクス社の登録商標）等、様々な近距離無線通信技術が開発されている。これらのシステムは、リーダ／カードアーキテクチャに基づいており、これは、一方の機器が電源を有するリーダ及び処理装置であり、他方の機器が単純なストレージカード又はタグであることを意味する。また、ＥＣＭＡによって定義されたＮＦＣＩＰ仕様書には、ＮＦＣ技術を用いて、２つのリーダ機器が互いに直接通信を行う「能動的な通信モード」が説明されている。また、主にスマートカードアプリケーションを目的とするが、機器間の通信にも利用可能な、ターゲット機器が如何なる電力も必要としない「受動的な通信モード」も定義されている。ターゲット機器は、通信のために、イニシエータ機器が放出するＲＦ電磁波を用いる。初期のＲＦ衝突回避及び開始段階では、全ての機器をデフォルトでＮＦＣターゲット機器であると定義し、ＮＦＣ機器は、アプリケーションの要求に応じて、ＮＦＣイニシエータ機器に切り替わる。
【００３２】
問題点
現在の仕様（ＮＦＣＩＰ−１：ＥＣＭＡ−３４０）では、全てのＮＦＣ機器がデフォルトでターゲットモードでなくてはならないと定義されている。機器は、アプリケーションによって要求された場合のみ、イニシエータモードに切り替わることができる。このために、ユーザは、異なるアプリケーションについて、低レベルの装置の種類の問題を意識しなくてはならない。一般に、現在の仕様では、例えば、ＮＦＣ機器が「常時オン」であることは意識されず、どの機器のスイッチを最初にオンにする必要があるかをユーザが知らなくてもいいように実現できるのは、リーダ／カード型のアプリケーション及び専用の装置のみである。
【００３３】
当分野の現在の技術では、ユーザは、装置の種類に応じて、自らが実行することを望むアプリケーションと、異なる装置の種類、例えば、イニシエータ機器及びターゲット機器とを意識しなければならない。
【００３４】
解決方法
図１に示すように、本発明は、例えば、タイミング方式を用いて、無線インタフェースにおけるあらゆる衝突を回避しながら、ＮＦＣ接続を即座に確立することができる。両方の機器が同じ間隔でＲＦ電磁波を放出する状況を避けるために、監視期間はランダム遅延を有する。
ＴＬｉｓｔｅｎ＝ＴＬｉｓｅｔｅｎ，Ｆｉｘ＋ＴＬｉｓｔｅｎ，Ｒａｎｄｏｍ
ここで、ＴＬｉｓｔｅｎは、ＮＦＣ機器が他のＮＦＣ機器からＲＦ電磁波を受信しようとする期間である。ＴＬｉｓｔｅｎ中に通信が始まれば、機器はＮＦＣターゲット機器になる。
【００３５】
ＴＰｏｌｌは、ＮＦＣ機器がエネルギを提供することによって全ての受動ＮＦＣ機器を検出するために、能動的にＲＦ電磁波を出している期間である。ＴＰｏｌｌ中に通信が始まれば、機器はＮＦＣイニシエータ機器になる。
【００３６】
この手法により、機器は、常時アクティブなＮＦＣインタフェースを有することができ、ユーザによる操作がなくても両方の機器が通信範囲内に入れば、通信が即座に開始される。
【００３７】
機器の消費電力を最適化するためには、通信処理（監視、ポーリング、監視、ポーリング、等）は、通信が期待される場合にのみ開始することが望ましい。この手法により、電池駆動機器は、（ＴＬｉｓｔｅｎを長くすることにより）電力を節約でき、同時に、イニシエータの役割を引き受ける確率を低下させることができる。受動的な通信が用いられている場合、電池駆動機器は、タイミングパラメータを調整し、ＲＦ電磁波を放出する負担を引き受けるイニシエータになる確率を低減することによって、商用電源駆動機器の電力を利用できる。例えば、ユーザがＮＦＣを用いて、デジタルカメラからテレビジョン受信機（以下、ＴＶという。）に画像を送信しようとする場合、ＴＶは、常時アクティブなＮＦＣインタフェースを有し、スリープ期間を全く有することなく、ポーリングと監視を繰り返す。
【００３８】
一方、カメラは、ユーザが、送信する画像を選択するまでターゲットモードに維持される。画像が選択されると、ＮＦＣインタフェースがオンにされ（ここでは、カメラは、まだ、ＴＶの通信範囲内にないとする。）、ポーリングと監視を繰り返して、画像を送信するための第２のＮＦＣ機器を探索する。ここで、カメラの監視期間は、ＴＶに比べて長く、カメラのポーリング期間は、ＴＶに比べて短く、したがって、ＴＶがイニシエータ機器となる（電磁波エネルギを提供する）確率は、カメラがイニシエータ機器になる確率より遙かに高い。
【００３９】
機器が互いに近付くと、一方の機器は、ＴＬｉｓｔｅｎ及びＴＰｏｌｌのタイミング選択に基づいて、通信を開始する。電池駆動機器の電力消費量を低減するために、タイミングパラメータＴＬｉｓｔｅｎ及びＴＰｏｌｌは、電池駆動機器が通信を開始する確率が、商用電源駆動機器が通信を開始する確率より低くなるように選択される。
【００４０】
図２及び図３は、タイミングパラメータＴＬｉｓｔｅｎ及びＴＰｏｌｌの選択に応じたイニシエータの役割を得る確率を示している。
【００４１】
利点
この手法により、ＮＦＣ機器は、他のＮＦＣ機器を妨害することなく、常時アクティブなＮＦＣインタフェースを有することができる。更に、ユーザインタラクションを必要とすることなく、即時のデータ通信も実現される。
【００４２】
また、タイミング方式を導入することによって、電池駆動機器の消費電力を抑制し、電池駆動機器がイニシエータ機器の役割を得ることを回避し、すなわち、ＲＦエネルギを提供する側になることを回避することができる。
【００４３】
以下では、図面を参照して、好ましい実施形態に基づいて、本発明を説明する。
【発明を実施するための最良の形態】
【００４４】
以下では、機能的又は構造的に類似又は同等の構造要素には、同じ参照符号を付す。これらが出現する都度、詳細な説明は繰り返さない。
【００４５】
図１は、近距離無線通信システム１０を動作させるための本発明に基づく方法の好ましい実施形態のフローチャートである。この処理は、主に、初期化セクションＩＮ及び処理セクションＰＲから構成されている。
【００４６】
初期化セクションＩＮは、アイドル処理ＩＤを含む近距離無線通信を準備し、実現し、確立する。アイドル処理ＩＤにおいては、所定の近距離無線通信機器２１、２２は、ステップＳ２、Ｓ３において、ターゲット動作モード又はターゲットモードで、潜在的ターゲット機器Ｔとして、ＲＦ信号を監視することによって、潜在的イニシエータ機器Ｉを検索し、又は、ステップＳ６、Ｓ７において、イニシエータ動作モード又はイニシエータモードで、潜在的イニシエータ機器又はイニシエータＩとしてＲＦ信号を送信し、潜在的ターゲット機器又はターゲットＴを探索する。
【００４７】
処理セクションＰＲは、近距離無線通信処理Ｓ５、Ｓ９を含む。
【００４８】
ステップＳ４において、潜在的イニシエータ機器のＲＦ信号を探索又は監視する期間ＴＬｉｓｔｅｎ中に、このようなＲＦ信号が受信されると、潜在的ターゲット機器Ｔは、ターゲット動作状態に入る。
【００４９】
ステップＳ８において、潜在的イニシエータ機器Ｉは、潜在的ターゲットによるＲＦ信号の受信をポーリングする期間ＴＰｏｌｌ中に、このようなＲＦ信号シンクを検出すると、イニシエータ動作状態に入る。
【００５０】
また、潜在的イニシエータのＲＦ信号を探索又は監視するための期間ＴＬｉｓｔｅｎは、アイドル処理ＩＤにおいて、通信に参加する各近距離無線通信機器２１、２２をターゲット動作状態又はモードで動作させる期間ｔｔａｒｇｅｔとも呼ぶ。
【００５１】
また、潜在的ターゲットによるＲＦ信号の受信のポーリングのための期間ＴＰｏｌｌは、通信に参加する各近距離無線通信機器２１、２２をアイドル処理ＩＤにおいて、イニシエータ動作状態又はモードで動作させる期間ｔｉｎｉｔｉａｔｏｒとも呼ぶ。
【００５２】
図４は、典型的な近距離無線通信状況及び個々の近距離無線通信システム１０のブロック図である。図４に示す近距離無線通信システム１０は、イニシエータ機器Ｉとして割り当てられた第１の近距離無線通信機器２１と、ターゲット機器Ｔとして割り当てられた第２の近距離無線通信機器２２とを備える。また、他の近距離無線通信機器２３も存在している。なお、通信チャンネルの範囲は、近距離に限定されているので、更なる機器２３は、イニシエータ機器Ｉ、２１及びターゲット機器Ｔ、２２のそれぞれの通信範囲ＣＡ１及びＣＡ２の外に位置している。したがって、他の機器２３は、システム１０に接続し、通信を行うことはできない。通信範囲ＣＡ１及びＣＡ２には、それぞれ、ターゲット機器Ｔ、２２及びイニシエータ機器Ｉ、２１のみが存在している。
【図面の簡単な説明】
【００５３】
【図１】近距離無線通信システムを動作させるための本発明に基づく方法の好ましい実施形態のフローチャートである。
【図２】確率的関係を示すグラフ図である。
【図３】確率的関係を示すグラフ図である。
【図４】典型的な近距離無線通信状況及び個々の近距離無線通信システムのブロック図である。
【符号の説明】
【００５４】
１０  近距離無線通信システム、２１  第１の近距離無線通信機器、２２  第２の近距離無線通信機器、２３  近距離無線通信機器、ＣＡ１  通信範囲、ＣＡ２  通信範囲、Ｉ  イニシエータ機器、ＩＤ  アイドル処理、ＩＮ  初期化セクション、ＰＲ  処理セクション、Ｔ  ターゲット機器
【図１】
2006129498.tif 000003
【図２】
2006129498.tif 000004
【図３】
2006129498.tif 000005
【図４】
2006129498.tif 000006
【外国語明細書】
2006129498000001.pdf
2006129498000002.pdf
2006129498000003.pdf
2006129498000004.pdf